(57)【要約】【課題】導光板、第一発光ユニット及び第二発光ユニットを含む光源装置を提供する。【解決手段】導光板は、第一表面、前記第一表面に面する第二表面、第一側面、及び前記第一側面に面する第二側面を有する。第一発光ユニットは、前記第一側面の近傍に位置し、第一光束を提供し、且つ、前記第一光束は前記第一側面を経由して前記導光板内に進入する。第二発光ユニットは、前記第二側面の近傍に位置し、第二光束を提供し、且つ、前記第二光束は前記第二側面を経由して前記導光板内に進入する。前記第一発光ユニットは、前記第一発光ユニットの幾何学的中心を通過し且つ前記第一側面に垂直する中心線を有し、前記第二発光ユニットは、前記第二発光ユニットの幾何学的中心を通過し且つ前記第二側面に垂直する中心線を有し、且つ、前記第一発光ユニットの前記中心線と前記第二発光ユニットの前記中心線は重なり合わない。【選択図】図１
2011146369.tif 000002
【特許請求の範囲】
【請求項１】
第一表面と、前記第一表面に面する第二表面と、第一側面と、前記第一側面に面する第二側面と、を有する導光板と、
前記第一側面の近傍に位置し、第一光束を提供し、且つ、前記第一光束は前記第一側面を経由して前記導光板内に進入する第一発光ユニットと、
前記第二側面の近傍に位置し、第二光束を提供し、且つ、前記第二光束は前記第二側面を経由して前記導光板内に進入する第二発光ユニットと、
を含み、
前記第一発光ユニットは、前記第一発光ユニットの幾何学的中心を通過し且つ前記第一側面に垂直する中心線を有し、前記第二発光ユニットは、前記第二発光ユニットの幾何学的中心を通過し且つ前記第二側面に垂直する中心線を有し、且つ、前記第一発光ユニットの前記中心線と前記第二発光ユニットの前記中心線は重なり合わない、光源装置。
【請求項２】
前記第一側面は第一垂直二等分線を有し、前記第二側面は第二垂直二等分線を有し、且つ、前記第一垂直二等分線と前記第二垂直二等分線は重なり合わない、
請求項１に記載の光源装置。
【請求項３】
前記第一発光ユニットの前記中心線は、前記第二発光ユニットの前記中心線と実質的に平行する、
請求項１に記載の光源装置。
【請求項４】
前記第一側面の、前記第一表面と平行する方向上における幅がＡと定義され、前記第一発光ユニットの、前記第一表面と平行する方向上における幅がＢと定義されると、Ｂ／Ａの値は、４５％以上且つ６０％以下である、
請求項１に記載の光源装置。
【請求項５】
前記第一側面の、前記第一表面と平行する方向上における幅がＡと定義され、前記第一側面と前記第二側面との垂直距離がＣと定義されると、Ａ／Ｃの値は、５０％以上且つ７５％以下である、
請求項１に記載の光源装置。
【請求項６】
前記第一側面の、前記第一表面と平行する方向上における幅がＡと定義され、前記第二側面の第一側面に正投影する正投影と前記第一側面との重なり合い部分の、前記第一表面と平行する方向上における幅がＤと定義されると、Ｄ／Ａの値は、６５％以上且つ９０％以下である、
請求項１に記載の光源装置。
【請求項７】
前記光源装置は、さらに、複数の乱反射微細構造を含み、前記複数の乱反射微細構造は、前記第一表面と前記第二表面のうち少なくとも一つに配置され、前記複数の乱反射微細構造の設置密度は、前記導光板の、前記第一側面と前記第二側面に近い両端から、前記導光板の、前記第一側面及び前記第二側面から離れる中央部分へ次第に増加する、
請求項１に記載の光源装置。
【請求項８】
前記光源装置は、さらに、反射ユニットを含み、前記反射ユニットは、前記第二表面に配置される、
請求項１に記載の光源装置。
【請求項９】
前記光源装置は、さらに、二つの反射ユニットを含み、前記二つの反射ユニットは、夫々、前記第一側面の一部分と前記第二側面の一部分に配置され、且つ、夫々、前記第一発光ユニットと前記第二発光ユニットの近傍に位置する、
請求項１に記載の光源装置。
【請求項１０】
前記第一側面は、前記第二側面と実質的に平行する、
請求項１に記載の光源装置。
【請求項１１】
前記光源装置は、さらに、第三側面と、第三側面に面する第四側面と、を含み、前記第三側面は、前記第一側面と前記第二側面と接続し、前記第四側面は、前記第一側面と前記第二側面と接続し、且つ、前記第三側面と前記第四側面は、夫々、曲面である、
請求項１に記載の光源装置。
【請求項１２】
第一表面と、前記第一表面に面する第二表面と、第一側面と、前記第一側面に面する第二側面と、を有する導光板と、
前記第一側面の近傍に位置し、第一光束を提供し、且つ、前記第一光束は前記第一側面を経由して前記導光板内に進入する第一発光ユニットと、
前記第二側面の近傍に位置し、第二光束を提供し、且つ、前記第二光束は前記第二側面を経由して前記導光板内に進入する第二発光ユニットと、
を含み、
前記第一側面は第一垂直二等分線を有し、前記第二側面は第二垂直二等分線を有し、且つ、前記第一垂直二等分線と前記第二垂直二等分線は重なり合わない、光源装置。
【請求項１３】
前記第一側面の、前記第一表面と平行する方向上における幅がＡと定義され、前記第一発光ユニットの、前記第一表面と平行する方向上における幅がＢと定義されると、Ｂ／Ａの値は、４５％以上且つ６０％以下である、
請求項１２に記載の光源装置。
【請求項１４】
前記第一側面の、前記第一表面と平行する方向上における幅がＡと定義され、前記第一側面と前記第二側面との垂直距離がＣと定義されると、Ａ／Ｃの値は、５０％以上且つ７５％以下である、
請求項１２に記載の光源装置。
【請求項１５】
前記第一側面の、前記第一表面と平行する方向上における幅がＡと定義され、前記第二側面の第一側面に正投影する正投影と前記第一側面との重なり合い部分の、前記第一表面と平行する方向上における幅がＤと定義されると、Ｄ／Ａの値は、６５％以上且つ９０％以下である、
請求項１２に記載の光源装置。
【請求項１６】
前記光源装置は、さらに、複数の乱反射微細構造を含み、前記複数の乱反射微細構造は、前記第一表面と前記第二表面のうち少なくとも一つに配置され、前記複数の乱反射微細構造の設置密度は、前記導光板の、前記第一側面と前記第二側面に近い両端から、前記導光板の、前記第一側面及び前記第二側面から離れる中央部分へ次第に増加する、
請求項１２に記載の光源装置。
【請求項１７】
前記光源装置は、さらに、反射ユニットを含み、前記反射ユニットは、前記第二表面に配置される、
請求項１２に記載の光源装置。
【請求項１８】
前記光源装置は、さらに、二つの反射ユニットを含み、前記二つの反射ユニットは、夫々、前記第一側面の一部分と前記第二側面の一部分に配置され、且つ、夫々、前記第一発光ユニットと前記第二発光ユニットの近傍に位置する、
請求項１２に記載の光源装置。
【請求項１９】
前記第一側面は、前記第二側面と実質的に平行する、
請求項１２に記載の光源装置。
【請求項２０】
前記光源装置は、さらに、第三側面と、第三側面に面する第四側面と、を含み、前記第三側面は、前記第一側面と前記第二側面と接続し、前記第四側面は、前記第一側面と前記第二側面と接続し、且つ、前記第三側面と前記第四側面は、夫々、曲面である、
請求項１２に記載の光源装置。
【発明の詳細な説明】
【技術分野】
【０００１】
本発明は、光源装置に関し、特に、導光板を採用する光源装置に関する。
【背景技術】
【０００２】
照明技術の進化に伴い、照明器具に採用される光源は、白熱電球又は蛍光灯管から、近年盛んに発展する発光ダイオード（LED）に進展している。発光ダイオードは、省電力、長寿命、エコロジー、快速起動、小型などの利点を有し、また、発光ダイオードの到達可能なパワーは、技術の成熟につれて次第に大きくなっている。よって、発光ダイオードは、蛍光灯管の代わりに、一般照明に次第に応用される傾向がある。
【０００３】
発光ダイオードが点光源であるため、発光ダイオードからの光線が比較的に集中するので、人の目にフレア（flare）を生成させやすい。よって、平面導光板を採用するエッジライト型発光ダイオードの光源装置がそれに伴って生み出される。エッジライト型光源装置の中において、発光ダイオードは平面導光板のエッジに配置され、また、平面導光板は発光ダイオードからの光線を平面導光板の正面に導き、均一な面光源を生成することができる。
【０００４】
特許文献１の図５〜７には、導光用光源ベースが開示されており、それは、光出し面が円形である導光板と、前記導光板を取り囲む複数の光源と、を含む。また、特許文献２の図１には、バックライトモジュールが開示されており、それは、導光板の入光側に所定の構造を設置することにより、光の入射角度を大きくし光の均一性を向上する。また、非特許文献１に開示の「LED  円形／楕円形バックライトプレート」には、円形又は楕円形の発光ダイオードのバックライト光源が記載されており、そのうち、導光板が円形又は楕円形であり、且つ、光源の光出し方向が導光板の中心を向く。
【先行技術文献】
【特許文献】
【０００５】
【特許文献１】米国特許第４１０５２９３号明細書
【特許文献２】米国特許第７０６３４５０号明細書
【非特許文献】
【０００６】
【非特許文献１】http://tw.ttnet.net/cshow_html.jsp/%6c%65%64%b6%ca%ab%ac%be%f2%b6%ea%ab%49%a5%fa%aa%4f/SS/cooklang/1/prdhtml/Y/cono/40002148/item_no/14/itno/LG120/dtno/010/type1/A
【発明の概要】
【発明が解決しようとする課題】
【０００７】
本発明の目的は、良好な光均一性と良好な光出し効率性を有する光源装置を提供することにある。
【０００８】
本発明の他の目的と利点については、本発明に開示される技術的特徴から更なる理解を得ることができる。
【課題を解決するための手段】
【０００９】
前述の一又は部分又は全部の目的若しくは他の目的を達成するために、本発明の一実施例において、光源装置が提供される。この光源装置は、導光板と、第一発光ユニットと、第二発光ユニットと、を含む。導光板は、第一表面と、第一表面に面する第二表面と、第一側面と、第一側面に面する第二側面と、を含む。第一発光ユニットは、第一側面の近傍に位置し、第一光束を発し、且つ、第一光束は、第一側面を経由して導光板内に進入する。第二発光ユニットは、第二側面の近傍に位置し、第二光束を発し、且つ、第二光束は、第二側面を経由して導光板内に進入する。第一発光ユニットは、第一発光ユニットの幾何学的中心を通過し且つ第一側面に垂直する中心線を有する。第二発光ユニットは、第二発光ユニットの幾何学的中心を通過し且つ第二側面に垂直する中心線を有する。第一発光ユニットの中心線と第二発光ユニットの中心線は、重なり合わない。本発明の一実施例において、第一側面は、第二側面と実質的に平行する。
【００１０】
本発明の一実施例において、第一側面は、第一垂直二等分線を有し、第二側面は、第二垂直二等分線を有し、且つ、第一垂直二等分線と第二垂直二等分線は、重なり合わない。
【００１１】
本発明の一実施例において、第一発光ユニットの中心線は、第二発光ユニットの中心線と実質的に平行する。
【００１２】
本発明の他の実施例において、光源装置が提供される。この光源装置は、導光板と、第一発光ユニットと、第二発光ユニットと、を含む。導光板は、第一表面と、第一表面に面する第二表面と、第一側面と、第一側面に面する第二側面と、を含む。第一発光ユニットは、第一側面の近傍に位置し、第一光束を発し、且つ、第一光束は、第一側面を経由して導光板内に進入する。第二発光ユニットは、第二側面の近傍に位置し、第二光束を発し、且つ、第二光束は、第二側面を経由して導光板内に進入する。第一側面は、第一垂直二等分線を有し、第二側面は、第二垂直二等分線を有し、且つ、第一垂直二等分線と第二垂直二等分線は、重なり合わない。本発明の一実施例において、第一側面は、第二側面と実質的に平行する。
【００１３】
本発明の一実施例において、第一側面の、第一表面と平行する方向上における幅がAと定義され、第一発光ユニットの、第一表面と平行する方向上における幅がBと定義されると、B／Aの値は、４５％以上且つ６０％以下である。
【００１４】
本発明の一実施例において、第一側面の、第一表面と平行する方向上における幅がAと定義され、第一側面と第二側面の垂直距離がCと定義されると、A／Cの値は、５０％以上且つ７５％以下である。
【００１５】
本発明の一実施例において、第一側面の、第一表面と平行する方向上における幅がAと定義され、第二側面の、第一側面に正投影する正投影と第一側面との重なり合い部分の、第一表面と平行する方向上における幅がDと定義されると、D／Aの値は、６５％以上且つ９０％以下である。
【００１６】
本発明の一実施例において、光源装置は、さらに、複数の乱反射微細構造を含む。これらの乱反射微細構造は、第一表面及び第二表面のうち少なくとも一つに配置される。これらの乱反射微細構造の設置密度は、導光板の、第一側面及び第二側面に近い両端から、導光板の、第一側面及び第二側面から離れる中央部分へ次第に増加する。
【００１７】
本発明の一実施例において、光源装置は、さらに、反射ユニットを含む。反射ユニットは、第二表面に配置される。
【００１８】
本発明の一実施例において、光源装置は、さらに、二つの反射ユニットを含む。この二つの反射ユニットは、夫々、第一側面の一部分及び第二側面の一部分に配置され、また、夫々、第一発光ユニット及び第二発光ユニットの近傍に位置する。
【００１９】
本発明の一実施例において、光源装置は、さらに、第三側面と、第三側面に面する第四側面と、を含む。第三側面は、第一側面及び第二側面と接続し、第四側面は、第一側面及び第二側面と接続する。第三側面及び第四側面は、夫々、曲面である。
【発明の効果】
【００２０】
本発明の実施例による光源装置は、少なくとも、以下の一つの利点を有する。光源装置は、導光板を採用することにより光を導き、且つ、第一発光ユニット及び第二発光ユニットは、夫々、導光板のエッジに配置され、そのうち、第一発光ユニットの中心線と第二発光ユニットの中心線は重なり合わず、第一発光ユニットと第二発光ユニットは真直ぐに面するのではなく、これにより、本発明の実施例による光源装置は、良好な光均一性及び良好な光出し効率性を有する。また、第一側面の第一垂直二等分線と第二側面の第二垂直二等分線は重なり合わず、これにより、本発明の実施例による光源装置は、同様に、良好な光均一性及び良好な光出し効率性を有する。
【図面の簡単な説明】
【００２１】
【図１】本発明の一実施例による光源装置の上面図である。
【図２】図１に示す光源装置のI-I線に沿った断面図である。
【図３】図１に示す光源装置の第一側面及び第二側面がYZ平面と異なる角度を成すときに呈する光均一性を示す図である。
【図４】光源装置の第一側面及び第二側面がYZ平面と平行するときの上面図である。
【図５】光源装置の第一側面及び第二側面がYZ平面と異なる角度を成すときに呈する光出し効率性を示す曲線図である。
【発明を実施するための形態】
【００２２】
次に、添付した図面を参照しながら、本発明の好適な実施形態を詳細に説明する。
【００２３】
なお、次の各実施例の説明は、添付した図面を参照して行われたものであり、本発明の実施可能な特定の実施例を例示するために用いられる。また、本発明に言及した方向の用語、例えば、上、下、前、後、左、右などは、添付した図面の方向を参考するためのもののみである。よって、以下に使用された方向の用語は、説明のために用いられ、本発明を限定するためのものでない。
【００２４】
図１は、本発明の一実施例による光源装置の上面図であり、また、図２は、図１に示す光源装置のI-I線に沿った断面図である。図１と図２を参照する。本実施例の光源装置１００は、導光板１１０と、第一発光ユニット１２０と、第二発光ユニット１３０とを含む。導光板１１０は、第一表面１１２と、第一表面１１２に面する第二表面１１４と、第一側面１１６と、第一側面１１６に面する第二側面１１８と、を含む。本実施例において、第一側面１１６と第二側面１１８は、例えば、夫々、平面であり、且つ互いに平行する。また、図１に示すように、導光板１１０は、さらに、第三側面S3と、第三側面S３に面する第四側面S4とを有する。第三側面S3は、第一側面１１６及び第二側面１１８と接続し、第四側面S4は、第一側面１１６及び第二側面１１８と接続し、且つ、第三側面S3と第四側面S4は、夫々、曲面である。
【００２５】
例えば、導光板１１０の構造が円柱状の導光板を採用したときに、第三側面S3と第四側面S4は、夫々、円柱曲面である。また、導光板１１０の構造が楕円柱状の導光板を採用したときに、第三側面S3と第四側面S4は、夫々、楕円柱曲面である。なお、前述の例は、本発明を説明するためのものであり、本発明を限定するものではない。一実施例において、第三側面S3と第三側面S4は、異なっても良く、或いは、第三側面S3と第四側面S4は、その他の異なる曲面であっても良い。
【００２６】
本実施例において、導光板１１０は、例えば、楕円柱状の導光板であり、前述の第一側面１１６と第二側面１１８を形成する方式は、例えば、楕円の短辺の方向に沿って角度θ傾斜し、導光板１１０に対して切削を行う方式であり、これにより、図１に示すような第一側面１１６と第二側面１１８を有する導光板１１０を形成することができる。言い換えると、第一側面１１６と第二側面１１８の切削方向は、例えば、図１に示すように、YZ平面と角度θを成す。
【００２７】
第一発光ユニット１２０は、第一側面１１６の近傍に位置し、第一光束L1を発し、また、第二発光ユニット１３０は、第二側面１１８の近傍に位置し、第二光束L2を発し、そのうち、図１と図２に示すように、第一光束L1は、第一側面１１６を経由して導光板１１０内に進入し、また、第二光束L2は、第二側面１１８を経由して導光板１１０内に進入する。第一発光ユニット１２０と第二発光ユニット１３０は、夫々、第一側面１１６と第二側面１１８の近傍に位置し、これにより、第一側面１１６と第二側面１１８は、導光板１１０の入光面である。本実施例において、導光板１１０の内部において伝播した第一光束L1と第二光束L2は、第一表面１１２を経由して導光板１１０の外へ伝播し、これにより、第一表面１１２は、導光板１１０の出光面である。
【００２８】
本実施例において、前述の第一発光ユニット１２０と第二発光ユニット１３０は、例えば、夫々、発光ダイオードの発光ストリップであり、この発光ダイオードの発光ストリップは、複数の発光ダイオードを基板に設置することにより構成されても良い。他の実施例において、第一発光ユニット１２０と第二発光ユニット１３０は、蛍光灯管又は他の適切な発光素子であっても良い。
【００２９】
また、第一発光ユニット１２０は、第一発光ユニット１２０の幾何学的中心を通過し且つ第一側面１１６に垂直する中心線１２２を有し、また、第二発光ユニット１３０は、第二発光ユニット１３０の幾何学的中心を通過し且つ第二側面１１８に垂直する中心線１３２を有する。本実施例において、図１に示すように、第一側面１１６と第二側面１１８は、夫々、YZ平面と角度θを成し、且つ、第一発光ユニット１２０と第二発光ユニット１３０は、真直ぐに面するのではないので、第一側面１１６の近傍に位置する第一発光ユニット１２０の中心線１２２と、第二側面１１８の近傍に位置する第二発光ユニット１３０の中心線１３２とは、重なり合わない。また、第一側面１１６と第二側面１１８は、夫々、平面であり、且つ、互いに平行するときでも、第一発光ユニット１２０の中心線１１２と第二発光ユニット１３０の中心線１３２は、実質的に平行するが、重なり合わない。
【００３０】
以下、導光板１１０を、依然として楕円柱状の導光板を例として説明するが、これに限られない。第一側面１１６と第二側面１１８は、夫々、YZ平面と角度θを成し、導光板１１０に対して切削を行うことにより形成され、且つ、切削により形成された第一側面１１６と第二側面１１８は、実質的に平行するので、第一側面１１６が有する第一垂直二等分線１１６ａと、第二側面１１８が有する第二垂直二等分線１１８ａとは、重なり合わない。同様に、第一側面１１６と第二側面１１８は互いに平行するので、第一側面１１６の第一垂直二等分線１１６ａと、第二側面１１８の第二垂直二等分線１１８ａとは、実質的に平行するが、重なり合わない。
【００３１】
また、第一側面１１６と第二側面１１８は、夫々、ＹＺ平面と角度θ傾斜する方向に、導光板に対して切削することにより形成され、図１のような、第一側面１１６と第二側面１１８を有する導光板１１０を形成するので、異なるθ値による導光板の構造は、光源装置１００に、異なる光学効果（例えば、光源装置１００の光均一性または全体の光出し効率性）を持たせることができ、その関連する記載を以下の説明を参照する。
【００３２】
図３は、図１に示す光源装置の第一側面１１６及び第二側面１１８がYZ平面と異なる角度を成すよきに呈する光均一性を示す図であり、そのうち、異なる曲線は、異なる光出し範囲を表し、且つ、角度θは、例えば、５度、１０度、１５度及び２０度を例として説明される。本実施例において、光源装置１００の光均一性を測定する測定方法は、まず、例えば、導光板１１０の中心点Ｃ０を中心とし、この中心点Ｃ０を以って可視区域Ｔ１を定義する。本実施例の可視区域Ｔ１は、図１に示すように、円形を例として説明される。次に、この可視区域Ｔ１の辺縁において、８個の等間隔の点Ｃ１を定義する。それから、前述の第一発光ユニット１２０と第二発光ユニット１３０が夫々第一光束Ｌ１と第二光束Ｌ２を発して導光板１１０に入射させるときは、可視区域Ｔ１内の各点Ｃ０、Ｃ１の光強度値を夫々測定することができ、また、これらの点Ｃ０、Ｃ１の最小の光強度値を、これらの点Ｃ０、Ｃ１の最大の光強度値で除すること（即ち、最小の光強度値／最大の光強度値）で、可視区域Ｔ１内の光均一性を定義することができる。
【００３３】
図３において、曲線３１１〜３１４は、夫々、導光板１１０上の可視区域Ｔ１の半径範囲が夫々２０ｍｍ×２０ｍｍ、３０ｍｍ×３０ｍｍ、４０ｍｍ×４０ｍｍ及び５０ｍｍ×５０ｍｍである場合に測定された光均一性の曲線を表する。図３によれば、角度θの値が大きければ（即ち、第一側面１１６と第二側面１１８がＹＺ平面と傾斜する角度θの値が大きければ）、可視区域Ｔ１が２０ｍｍ×２０ｍｍ、３０ｍｍ×３０ｍｍ、４０ｍｍ×４０ｍｍ及び５０ｍｍ×５０ｍｍの範囲内で測定された光均一性の差が小さい。言い換えれば、第一側面１１６と第二側面１１８がＹＺ平面と傾斜する角度θの値が大きければ、光源装置１１０全体の光均一性を向上できる。なお、角度θの値は、無制限ではなく、可視区域Ｔ１の範囲により決められる。例えば、角度θの値が次第に大きくなるときは、可視区域Ｔ１の範囲が相対的に次第に小さくなることを表する。本実施例において、角度θの値は、例えば、１５度以上且つ２０度以下であるときに、光源装置１００が呈する光学品質（例えば、全体の光均一性又は光出し効率性）は良好である。
【００３４】
詳細に言えば、第一側面１１６の、第一表面１１２と平行する方向上の幅がＡと定義され、第一発光ユニット１２０の、第一表面１１２と平行する方向上の幅がＢと定義され、第一側面１１６と第二側面１１８との垂直距離がＣと定義され、第二側面１１８が第一側面１１６に正投影する正投影と第一側面との重なり合う部分の、第一表面１１２と平行する方向上の幅がＤと定義されると、角度θが約１５度〜２０度の間にあるときに、光源装置１００の構造パラメータは、例えば、Ｂ／Ａの値が角度θの値に対して約４５％以上且つ６０％以下であり、Ａ／Ｃの値が角度θの値に対して約５０％以上且つ７５％以下であり、また、Ｄ／Ａの値が約６５％以上且つ９０％以下であるとの範囲内にある。さらに詳細に言えば、角度θが約１５度であるときに、Ｂ／Ａの値が約５５．８％であり、Ａ／Ｃの値が５７％であるときに、Ｄ／Ａの値が約７０％である。角度θの値が２０度であるときに、Ｂ／Ａの値が約５０．５％であり、Ａ／Ｃの値が約７０．７％であり、Ｄ／Ａの値が約８２％である。
【００３５】
また、前述の角度θの値が０度であるときに、光源装置２００は、図４のようになる。図４に示す光源装置２００において、前述の角度θの値が０度であるため、導光板２１０の第一側面２１６と第二側面２１８は共にＹＺ平面と平行する（即ち、ＹＺ平面と成す角度θの値が０度である）。このようにして、第一側面２１６の近傍に位置する第一発光ユニット２２０と、第二側面２１８の近傍に位置する第二発光ユニット２２２とは、真直ぐに面することになる。言い換えると、図４に示すように、第一発光ユニット２２０の中心線２２２と、第二発行ユニット２３０の中心線２３２とは、実質的に平行し且つ重なり合う。
【００３６】
図４に示す光源装置２００を以って前述と同様な光均一性の測定を行うことによれば、角度θの値が０度であるときに設計された光源装置２００が呈する光均一性は、異なる可視区域Ｔ１の範囲（２０ｍｍ×２０ｍｍ、３０ｍｍ×３０ｍｍ、４０ｍｍ×４０ｍｍ及び５０ｍｍ×５０ｍｍ）に測定された光均一性の差が大きい。言い換えると、第一側面２１６と第二側面２１８がＹＺ平面と成す角度θの値は０であるときに、光源装置２００が呈する光均一性は、本実施例の光源装置１００の構造による光均一性に比べて悪い。
【００３７】
これ以外に、図４に示す光源装置２００全体の光出し量を基準としたら、図５に示すように、本実施例の光源装置１００の構造により増やされた光出し効率が、第一側面１１６と第二側面１１８がＹＺ平面と成す角度θの値の増加につれて増加することが分かる。図５によれば、光源装置１００により向上された光出し効率は、第一側面１１６と第二側面１１８がＹＺ平面と成す角度θの値が大きければ、高い。
【００３８】
また、図１と図２を参照する。図２に示すように、前述の光源装置１００は、さらに、複数の乱反射微細構造１４０を含む。本実施例において、これらの乱反射微細構造１４０は、第一表面１１２と第二表面１１４のうち少なくとも一つに配置され、本実施例では、第二表面１１４に配置されるのを例とするが、これに限られない。また、光源装置１００全体の光均一性と光出し効率性をさらに向上するには、図２に示すように、これらの乱反射微細構造１４０の設置密度が、例えば、導光板１１０の、第一側面１１６と第二側面１１８に近い両端から、導光板１１０の、第一側面１１６と第二側面１８８から離れる中央部分へ次第に増加する。本実施例において、乱反射微細構造１４０は、第一光束Ｌ１と第二光束Ｌ２が導光板１１０内における全反射を破壊するために用いられる。
【００３９】
また、第二表面１１４の一側には反射ユニット１７０が配置されても良く、これにより、一部の第一光束Ｌ１と第二光束Ｌ２は乱反射微細構造１４０の屈折作用を受けて反射ユニット１７０に入射し、また、反射ユニット１７０は第一光束Ｌ１又は第二光束Ｌ２を反射し、第二表面１１４及び第一表面１１２を順序に透過させ、導光板１１０の外へ射出させる。また、他の部分の第一光束Ｌ１又は第二光束Ｌ２は、乱反射微細構造１４０の反射作用を受けて第一表面へ入射し、また、第一表面１１２を経由して導光板１１０の外へ射出する。本実施例において、乱反射微細構造１４０は、例えば、凸点であり、しかし、他の実施例において、乱反射微細構造１４０は、乱反射材料、凹点、凸紋又は凹紋であっても良い。また、本実施例において、反射ユニット１７０は、例えば、反射片である。
【００４０】
光源装置１００において、図１と図２に示すように、光源装置１００は、さらに、二つの反射ユニット１６２、１６４を含む。本実施例において、反射ユニット１６２、１６４は、夫々、第一側面１１６の一部と第二側面１１８の一部に配置され、また、夫々、第一発光ユニット１２０と第二発光ユニット１３０の近傍に位置する。このようにして、第一光束Ｌ１と第二光束Ｌ２が、夫々、第二側面１１８と第一側面１１６に伝播したときに、反射ユニット１６２、１６４により反射され、第一側面１１６と第二側面１１８を経由して導光板１１０の外へ射出する光束Ｌ１とＬ２の量が減少され、又は、面する第一発光ユニット１２０と第二発光ユニット１３０により吸収される。言い換えると、反射ユニット１６２、１６４が配置される光源装置１００は、装置全体の光利用率を向上し、且つ良好な光学表現を有する。本実施例において、反射ユニット１６２、１６４は、例えば、反射シート又はメッキ膜である。
【００４１】
本実施例において、光源装置１００全体の光均一性をさらに向上するには、図２に示すように、第一表面１１２上に光学フィルム１５０を設置しても良い。本実施例において、光学フィルム１５０は、例えば、光学拡散片である。
【００４２】
また、光源装置１００は、さらに、上蓋１８０を含んでも良く、この上蓋１８０は、前述の導光板１１０、第一発光ユニット１２０、第二発光ユニット１３０、反射ユニット１７０及び光学フィルム１５０を固定するために用いられ、且つ、前述の可視区域Ｔ１を露出させても良い。詳細に言えば、本実施例の導光板１１０が図１のような設計を採用し、且つ、図３の５０ｍｍ×５０ｍｍの曲線と合わせて見ると、可視区域Ｔ１の範囲が大きくなりかつ角度θの値が例えば１５度〜２０度の間にあっても、光源装置１００は、依然として良好な光均一性を有することが分かる。言い換えると、図１のような構造設計を採用することにより、光源装置１００の可視区域Ｔ１を大きくさせると同時に、良好な光均一性を維持することができる。これにより、光源装置１００の光出し面積を増加し、その光利用率を向上することができる。
【００４３】
以上述べたところを総合すれば、本発明の実施例は、以下の効果の少なくとも一つを達成することができる。光源装置は導光板を採用して光を導き、第一発光ユニットと第二発光ユニットは夫々導光板のエッジに配置され、第一発光ユニットの中心線と第二発光ユニットの中心線は重なり合わないため、第一発光ユニットと第二発光ユニットは真直ぐに面するのではなく、これにより、本発明の実施例による光源装置は、良好な光均一性と良好な光出し効率性を有する。また、第一側面の第一垂直二等分線と第二側面の第二垂直二等分線は重なり合わないため、同様に、本発明の実施例による光源装置は、良好な光均一性と良好な光出し効率性を有する。
【００４４】
また、第一表面の一側には光学フィルムが配置されるので、発光面の明暗効果と均一度は良好な制御を受けるができる。また、本発明の実施例による光源装置には乱反射微細構造が設置されるので、光源装置の光出し効率をさらに向上することができる。
【００４５】
本発明は、前述した好適な実施例に基づいて以上のように開示されたが、前述した好適な実施例は、本発明を限定するためのものでなく、当業者は、本発明の精神と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示された全ての目的又は利点又は特徴を達成する必要がない。また、要約の部分と発明の名称は、文献の検索を助けるためのみのものであり、本発明の権利範囲を限定するものでない。
【符号の説明】
【００４６】
１００、２００  光源装置
１１０  導光板
１１２  第一表面
１１４  第二表面
１１６  第一側面
１１６ａ  第一垂直二等分線
１１８  第二側面
１１８ａ  第二垂直二等分線
１２０  第一発光ユニット
１２２、１３２、２２２、２３２  中心線
１３０  第二発光ユニット
１４０  乱反射微細構造
１５０  光学フィルム
１７０、１６２、１６４  反射ユニット
Ｓ３  第三側面
Ｓ４  第四側面
θ  角度
Ｌ１  第一光束
Ｌ２  第二光束
Ｃ０  中心点
Ｃ１  点
Ｔ１  可視区域
Ａ、Ｂ、Ｃ、Ｄ  幅
Ｘ、Ｙ、Ｚ  座標軸
【図１】
2011146369.tif 000003
【図２】
2011146369.tif 000004
【図３】
2011146369.tif 000005
【図４】
2011146369.tif 000006
【図５】
2011146369.tif 000007